(57)【要約】【課題】不正行為と関係のない遊技球の動きに制約や乱れを加えることなく、動力源を必要とせずに糸付きゴトによる不正行為を防止する。【解決手段】枠状装飾体３０のベース部３１の区画壁３４の右側に沿って流下通路右壁３７が突設され、これらの前面を覆う流下通路前側部材３８により、周囲を閉鎖された筒状の右側流下通路６０が構成される。右側流下通路６０は、出口６２の近傍で遊技球を右方向から左方向へ向かって大きく方向転換させた後、再び右方向へと方向転換させる方向転換用の突出部６３を備える。この突出部６３の上面及び側面は谷溝６５に向かう傾斜面とされ、この谷溝６５の中に組み付けた切断刃５０のＶ字状の挟み込み部５４へと糸９０を誘導して捕捉すると共に、糸ゴト操作による擦れを利用して切断する。【選択図】  図７
2015097649.tif 000002
【特許請求の範囲】
【請求項１】
遊技盤の遊技領域内に入賞口やゲートなどを備えると共に、遊技球の通過を検出可能な検知手段を備えた遊技機において、当該検知手段によって遊技球を検知することで賞球の払い出しやゲームの抽選処理等の契機とすると共に、さらに、以下の構成をも備えたことを特徴とする遊技機。
（１）前記検知手段の設置位置近傍へと遊技球を流下させる流下通路を備え、該流下通路の内壁面に遊技球の直径よりも小さい溝部を形成すると共に、当該溝部に切断刃を設置してあること。
【請求項２】
さらに、以下の構成をも備えたことを特徴とする請求項１に記載の遊技機。
（２）前記流下通路の内壁面が、少なくとも前記溝部の付近においては、当該溝部の開口を谷部とする傾斜面で構成されていること。
【請求項３】
さらに、以下の構成をも備えたことを特徴とする請求項１又は２に記載の遊技機。
（３）前記流下通路は湾曲又は屈曲しており、前記検知手段の設置位置近傍の出口に至るまでの間に、流下する遊技球を前記遊技盤の盤面に沿って左右方向に揺れ動かさせつつ落下させる突出部を有し、当該突出部に前記溝部が形成されていること。
【請求項４】
さらに、以下の構成をも備えたことを特徴とする請求項１〜３のいずれかに記載の遊技機。
（４）前記流下通路が、前後方向に分割された奥側部分と、当該奥側部分を前方から覆う様に組み付けられる前側部分とによって構成され、前記切断刃が、前記奥側部分と前記前側部分との間に挟み込まれる様にして組み付けられていること。
【請求項５】
さらに、以下の構成をも備えたことを特徴とする請求項１〜４のいずれかに記載の遊技機。
（５）前記切断刃は、前記溝の開口側に先端を向けると共に、当該先端を複数に分割して一部を折曲したＶ字状の挟み込み部を備えた金属製のものであること。
【請求項６】
さらに、以下の構成をも備えたことを特徴とする請求項１〜５のいずれかに記載の遊技機。
（６）前記検知手段が、センター役物の下部に位置する様に設置され、前記流下通路が前記センター役物の側方部分に沿って形成されると共に、当該流下通路は、前記出口の近傍において、相対的にセンター役物中心に向かった後に相対的に前記センター役物中心から離れる方向へと流下する様に遊技球を方向転換させた後に下方に落下させる屈曲部を有し、前記溝部が当該屈曲部において前記センター役物中心に対して外から内へと突出する側の内壁面に形成されていること。
【発明の詳細な説明】
【技術分野】
【０００１】
本発明は、遊技機に係り、特に、糸を貼り付けた遊技球を用いて、糸を引っ張ったり緩めたりして遊技球を往復動させてスイッチやセンサを反応させるといった不正行為（以下、「糸付きゴト」とよぶ。）を防止する機能を備えた遊技機に関する。
【背景技術】
【０００２】
昨今、上述の様なアナログ的操作による糸付きゴトが流行しており、その防止対策について種々の提案がなされている（例えば、特許文献１〜３）。
【０００３】
特許文献１は、シーソーの様に揺動し得るコ字状の切断部材の下側の切断部を流下通路内に突出させた状態となる様にバネで付勢しておき、遊技球が押しのけることで上側の切断部が遊技球の上部で流下通路内に突出して糸状体を切断する機構や、流下通路の左右から突出させた切断部を遊技球が押しのけて通過した後に再び突出位置へと戻る様にバネで付勢しておき糸状体を切断する機構を提案している。
【０００４】
特許文献２は、誘導レールの出口の玉戻り防止弁に備えさせた切欠、風車の刃根の外縁に備えさせた切欠、センターケース上部の転動面に備えさせた複数条のＶ溝、球発射装置への遊技球の供給通路の排出部内壁に備えさせた切欠溝などによって糸を捕獲したり絡め取ったりして糸付きゴトの操作をできなくしたり、球発射装置の部分に設置した加熱装置で糸を切断するなどの各種機構を提案している。
【０００５】
特許文献３は、捩りバネで閉鎖方向に常時付勢された第１，第２の可動扉を球通路内に備えさせ、遊技球が開閉扉を押しのけて通過した後に再び閉鎖方向へと開閉扉を揺動させて糸を切断する機構や、駆動モータで回転する針状の引掛部を球通路内に設置しておいて糸を絡め取る機構を提案している。
【先行技術文献】
【特許文献】
【０００６】
【特許文献１】特開２０１２−１４７９９６（図３〜図６）
【特許文献２】特開２０１２−１００９７４（図２２〜図４１）
【特許文献３】特開２０１２−３４８５３（図８〜図１０）
【発明の概要】
【発明が解決しようとする課題】
【０００７】
特許文献１〜３の提案する機構は、遊技球と接触する部品に備えさせた切欠等で糸を捕獲したり絡め取ったり、遊技球が押しのけた後の復帰動作で糸を切断したり、モータで回転させて糸を絡め取るなどの機構であり、動力源を必要としたり、不正行為と関係のない遊技球の動きを制約したり乱したりするという問題がある。
【０００８】
そこで、本発明は、不正行為と関係のない遊技球の動きに制約や乱れを加えることなく、動力源を必要とせずに糸付きゴトによる不正行為を防止することを目的とする。
【課題を解決するための手段】
【０００９】
かかる目的を達成するためになされた本発明の遊技機は、遊技盤の遊技領域内に入賞口やゲートなどを備えると共に、遊技球の通過を検出可能な検知手段を備えた遊技機において、当該検知手段によって遊技球を検知することで賞球の払い出しやゲームの抽選処理等の契機とすると共に、さらに、以下の構成をも備えたことを特徴とする。
（１）前記検知手段の設置位置近傍へと遊技球を流下させる流下通路を備え、該流下通路の内壁面に遊技球の直径よりも小さい溝部を形成すると共に、当該溝部に切断刃を設置してあること。
【００１０】
本発明の遊技機によれば、糸を貼り付けた遊技球が遊技領域に打ち込まれ、流下通路を通って検知手段の近傍へ誘導されたとき、流下通路の内壁面に設置した切断刃に糸を接触させてやることで、糸付きゴト操作による擦れを利用して切断することができる。このとき、切断刃は、流下通路の内壁面から飛び出さない様に流下通路内壁面に形成した溝部の奥に収めておくとよい。上述の様に、溝部は遊技球の直径よりも小さいから、遊技球が切断刃に触れることがない。よって、切断刃は、特許文献２の玉戻り防止弁の様な変形し易いものにする必要がなく、切断能力の高い硬くて堅固な材料で構成しておくことができる。そして、本発明によれば、動力源を備えなくてもよいだけでなく、不正行為と無関係の遊技球の動きに制約や乱れを生じさせることもない。
【００１１】
ここで、本発明の遊技機は、さらに、以下の構成をも備えるとよい。
（２）前記流下通路の内壁面が、少なくとも前記溝部の付近においては、当該溝部の開口を谷部とする傾斜面で構成されていること。
【００１２】
かかる構成（２）をも備えることにより、糸付きゴトに用いられる遊技球に貼り付けられた糸は、流下通路の内壁面の傾斜面に沿って谷部に誘導され、切断刃が設置された溝部へと嵌り込み、切断刃に接触する状態へと導かれ、上述した様に糸付きゴトの操作がなされる間に糸を切断することができる。
【００１３】
また、これら本発明の遊技機は、さらに、以下の構成をも備えるとよい。
（３）前記流下通路は湾曲又は屈曲しており、前記検知手段の設置位置近傍の出口に至るまでの間に、流下する遊技球を前記遊技盤の盤面に沿って左右方向に揺れ動かさせつつ落下させる突出部を有し、当該突出部に前記溝部が形成されていること。
【００１４】
かかる構成（３）をも備えることにより、糸付きゴトに用いるために糸が貼られた遊技球は、流下通路を流下する際に盤面に沿って左右方向に揺れ動き、突出部を越えて流下するときに糸が突出部に当接し、当該突出部に形成されている溝部に嵌り込み、切断刃に当接し、上述した作用によって当該糸を糸付きゴト操作がなされる時に切断することができる。
【００１５】
ここで、（３）の構成をも備えた本発明の遊技機は、さらに、以下の構成をも備えるとよい。
（３Ａ）前記突出部は、前記流下通路の出口に対し、当該出口の中心を通る垂直線を横切る様に突出されていること。
【００１６】
かかる構成（３Ａ）をも備えることにより、流下通路の出口からぶら下がった状態の糸付きゴト用の遊技球に貼り付けられた糸は突出部に対して確実に当接した状態となり、その結果、突出部に形成された溝部に嵌り込み、その奥の切断刃に当接し、糸付きゴト操作が行われる際の切断を、より確実に実現することができるからである。
【００１７】
また、これら本発明の遊技機は、さらに、以下の構成をも備えるとよい。
（４）前記流下通路が、前後方向に分割された奥側部分と、当該奥側部分を前方から覆う様に組み付けられる前側部分とによって構成され、前記切断刃が、前記奥側部分と前記前側部分との間に挟み込まれる様にして組み付けられていること。
【００１８】
かかる構成（４）をも備えることにより、切断刃の組み付けを、流下通路の組立と同時に実行することができ、上述の様な作用・効果を発揮する遊技機を、組立工数を増加させることなく製造することができる。また、切断刃の組み付けも確実なものとなる。
【００１９】
また、これら本発明の遊技機は、さらに、以下の構成をも備えるとよい。
（５）前記切断刃は、前記溝の開口側に先端を向けると共に、当該先端を複数に分割して一部を折曲したＶ字状の挟み込み部を備えた金属製のものであること。
【００２０】
かかる構成（５）をも備えることにより、溝部に嵌り込んだ糸は、金属製の切断刃の先端のＶ字状の挟み込み部の奥で捕捉され、糸付きゴト操作による両面側からの擦れによってより迅速かつ的確に切断をすることができるからである。
【００２１】
また、これら本発明の遊技機は、さらに、以下の構成をも備えるとよい。
（６）前記検知手段が、センター役物の下部に位置する様に設置され、前記流下通路が前記センター役物の側方部分に沿って形成されると共に、当該流下通路は、前記出口の近傍において、相対的にセンター役物中心に向かった後に相対的に前記センター役物中心から離れる方向へと流下する様に遊技球を方向転換させた後に下方に落下させる屈曲部を有し、前記溝部が当該屈曲部において前記センター役物中心に対して外から内へと突出する側の内壁面に形成されていること。
【００２２】
かかる構成（６）は、センター役物の中央下部、右側下部、左側下部等に、始動入賞口やＶ入賞口（２種型ゲームにおける大当たり入賞口）などが設けられた遊技機における不正防止対策として特に適するものとなる。
【００２３】
例えば、所定の条件を満足したときに右打ち遊技を実行させ、センター役物の右側に設置されたゲートに遊技球を通過させ、これによって大当たり抽選をする様に構成したタイプの遊技機において特に有効な糸付きゴト対策となる。この種の遊技機において、センター役物の右側に沿って形成された流下通路へ遊技球を一旦進入させた後、糸を操作してゲートを何度も通過させる不正に対し、屈曲部に糸を確実に当接させ、この屈曲部に形成した溝部へと糸を嵌り込ませ、操作による糸の上下動で切断刃に擦り合わせて糸を切断し、この種の不正による賞球の不正獲得を的確に防止することができる。
【００２４】
また、センター役物の左側には、ステージに遊技球を排出するワープ通路がある。そして、ステージ下中央に始動入賞口を備えるものが多い。この様な遊技機において、ワープ通路からステージ上のトンネルへと糸付きゴト用の遊技球を誘導して始動入賞口のセンサを繰り返し反応させるといった不正に対し、ワープ通路の屈曲部の内壁に切断刃を埋め込んでおき、糸を切断刃の潜んでいる溝部に嵌り込ませて切断してしまうことによって、こうしたワープ通路を利用した不正の対策としても有効なものとする。
【００２５】
ここで、（６）の構成を備えた本発明の遊技機は、さらに、以下の構成をも備えるとよい。
（７）前記流下通路が、前記センター役物のベース部分の前面に一体成形された二条の垂直壁によって形成される奥側部分と、当該奥側部分を前方から覆う様に組み付けられる前側部分とによって構成され、前記切断刃が、前記奥側部分と前記前側部分との間に挟み込まれる様にして組み付けられていること。
【００２６】
かかる構成（７）をも備えることにより、センター役物と一体となった流下通路を組み立てる際に切断刃の組み付けをも確実に実行することができ。
【発明の効果】
【００２７】
本発明によれば、不正行為と関係のない遊技球の動きに制約や乱れを加えることなく、動力源を必要とせずに糸付きゴトによる不正行為を防止することができる。
【図面の簡単な説明】
【００２８】
【図１】実施例１のパチンコ機を示し、（Ａ）は遊技盤を取り外した状態の斜視図、（Ｂ）は正面図、（Ｃ）は分解斜視図である。
【図２】実施例１を示し、（Ａ）は遊技盤の正面図、（Ｂ）はセンター飾りのベース側部材の右側面図、（Ｃ）は（Ｂ）の右側面図である。
【図３】実施例１におけるセンター飾り右側の流下通路の部分を分解した状態の正面側から見た斜視図及び要部の拡大斜視図である。
【図４】実施例１におけるセンター飾り右側の流下通路の部分を分解した状態の背面側から見た斜視図及び要部の拡大斜視図である。
【図５】実施例１におけるセンター飾り右側の流下通路の部分を示し、（Ａ）は正面図、（Ｂ）はＡ−Ａ断面図、（Ｃ）は（Ｂ）の要部拡大断面図、（Ｄ）はＢ−Ｂ断面図、（Ｅ）は（Ｄ）の要部拡大断面図である。
【図６】実施例１におけるセンター飾り右側の流下通路の部分を示し、（Ａ）は正面図、（Ｂ）はＣ−Ｃ断面図、（Ｃ）はＤ−Ｄ断面図、（Ｄ）は（Ｃ）の要部拡大断面図である。
【図７】実施例１におけるセンター飾り右側の流下通路の部分を示し、（Ａ）は前側部材を取り外した状態の要部拡大斜視図、（Ｂ），（Ｃ）は切断刃の斜視図、（Ｄ）は切断刃の六面図である。
【図８】実施例１におけるセンター飾り右側の流下通路の要部を示し、（Ａ）は左側から見た拡大断面図、（Ｂ）は前側部材を取り外した状態の拡大正面図、（Ｃ）は挟み込み部に糸が挟まれる様子を示す斜視図、（Ｄ）は挟み込み部に糸が挟まれる様子を示す左側面図、（Ｅ）は挟み込み部に糸が挟まれる様子を示す平面図である。
【発明を実施するための形態】
【００２９】
以下、本発明の実施形態として、具体的な実施例を図面に基づき詳細に説明する。
【実施例１】
【００３０】
実施例１のパチンコ機Ｐは、図１に示す様に、外枠Ａ、中枠Ｂ、遊技盤１、前枠Ｄ、上の球受け皿Ｅ、下の球受け皿Ｆ及び打球発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤１は、中枠Ｂの開口部に取り付けられる。前枠Ｄは遊技盤１の透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されてる。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。打球発射装置Ｇは、上の球受け皿Ｅから発射レールに送り込まれた遊技球をハンドル操作に対応する強さで打ち出すための装置であって、中枠Ｂの右下部に装備される。
【００３１】
中枠Ｂは、上縁をなす上枠部材Ｂ１と、下縁をなし打球発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤１を設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。
【００３２】
遊技盤１は、ベニヤ板、透明合成樹脂板などによって形成される板部材１ａの中央開口に裏面側から臨む様に液晶表示装置ＬＣＤが取り付けられ、この液晶表示装置ＬＣＤを取り囲む様に、板部材１ａの前面側からセンター役物１３が取り付けられている。液晶表示装置ＬＣＤは、遊技盤１の裏側に取り付けられる裏ユニット３に対して、可動体役物や電飾装置などと共に組み付けられ、板部材１ａの背面側から組み付けられる。なお、センター役物１３と液晶表示装置ＬＣＤの間には、こうした可動体役物が液晶表示装置ＬＣＤの前面へ出没するためのスペースを確保する様に、液晶表示装置ＬＣＤは、板部材１ａの背面よりも後方に控えた状態の前後方向位置に組み付けられる。
【００３３】
遊技盤１は、図２（Ａ）に示す様に、障害釘１１や風車１２が植設された遊技領域１０の中央にセンター役物１３が取り付けられ、センター役物１３の中央直下に始動入賞口１４が備えられる。また、この始動入賞口１４の右斜め下方に特別入賞口１５が設置され、センター役物１３の右側には特別入賞口１５の開放時に右側から遊技球を入賞させるための右打ち通路１６が備えられた構成となっている。遊技盤１には、この他、誘導レール１７、普通入賞口１８、アウト口１９等も設置されている。
【００３４】
センター役物１３は、図２（Ａ）に示す様に、リング状に形成された合成樹脂製の枠状装飾体３０と、可動体や電飾部材が備えられた演出用装飾体４０とからなる。枠状装飾体３０においては、図２（Ｃ），図４に示す様に、平板状のベース部３１の縁に沿う様に背面側に後方に伸びる周壁部３２が形成され、周壁部３２の外側にダボ３３が突設形成され、ダボ３３で位置決めしつつ周壁部３２を板部材１ａの開口に前面側から嵌り込ませる様にして取り付けられる。一方、演出用装飾体４０は、液晶表示装置ＬＣＤの前面側に位置する様に裏ユニット３の収納空間内に取り付けられ、板部材１ａの背面側に位置する様に組み付けられる。
【００３５】
図２（Ｂ），（Ｃ），図３に示す様に、枠状装飾体３０の前面側にも、ベース部３１の開口の内側にほぼ沿う様にして前方へ伸びる区画壁３４が形成されている。この区画壁３４の内側が液晶表示装置ＬＣＤの表示領域となる。区画壁３４の中央下部には、上面で遊技球を上下左右へと揺れ動かす様に転動させるステージ３５が形成され、このステージ３５へと遊技球を誘導するワープ通路３６が、区画壁３４の右側中央部からステージ３５の右端部へと屈曲しつつ連続する様に形成されている。
【００３６】
また、枠状装飾体３０のベース部３１の右側中央辺りにゲート４１が備えられると共に、このゲート４１の上方を出口６２とする様に、区画壁３４の右側に沿って流下通路右壁３７が突設されている。このベース部３１から前方へ突設された二条の垂直壁（流下通路右壁３７及び区画壁３４）と、これらの前面を覆う様に取り付けられる流下通路前側部材３８とによって、周囲を閉鎖された筒状の右側流下通路６０が構成されている。
【００３７】
右側流下通路６０は、上端の入口６１から進入した遊技球を左右方向に揺れ動かしながら落下させる構造となっていて、下端の出口６２の近傍で遊技球を右方向から左方向へ向かって大きく方向転換させた後、再び右方向へと方向転換させて出口６２へと至らせる方向転換用の突出部６３を備えている。この突出部６３には、切断刃５０が、刃先を左に向けて組み付けられる。
【００３８】
出口６２の下方のゲート４１には球検知センサ４２が設置されていて、遊技球が通過することで所定の抽選処理を実行し、始動入賞口１４の下部の第２始動入賞口（いわゆる「電チュー」）４３の開閉等が制御される構成となっている。
【００３９】
右側流下通路６０の突出部６３は、図３〜図６に示す様に、ベース部３１側から立設された流下通路右壁３７に形成された奥側突出部６３ａと、流下通路前側部材３８の背面側に形成された前側突出部６３ｂとが前後に当接する様に重なり合うことによって形成される。これら奥側突出部６３ａ、前側突出部６３ｂには、切断刃５０を嵌め込むための奥側切断刃挟持部６４ａ，６４ｂが形成されている。
【００４０】
ここで、流下通路右壁３７は、図２，図３に示す様に、突出部６３の形成される部分は半分の高さとなっていて、ここに流下通路前側部材３８の外側壁３８ａが嵌り込む様に組み付けられて流下通路６０を完成する。流下通路前側部材３８には、ネジ止め用の４本の孔明き支柱３８ｂが背面側に突設されている。また、適宜個数の減速用突条３８ｃも流下方向に交差する様に適宜の間隔で突設されている。なお、符号３８ｄは、飾り壁である。
【００４１】
図３，図４，図７（Ｂ）〜（Ｄ）に示す様に、切断刃５０は、鋼板５１の先端側を上下方向に半分に切り込みを入れ、下半分を正面側へ斜めに持ち上げる様に折り曲げることにより、上側フラット刃先５２と下側傾斜刃先５３とを備えさせ、これら上側フラット刃先５２と下側傾斜刃先５３との間にＶ字状の挟み込み部５４を形成したものとなっている。また、鋼板５１の後端側は背面側に直角に折り曲げた引っ掛け部５５とされ、中央部分に２個の貫通孔５６，５６が形成されている。
【００４２】
図３，図４，図５（Ｂ）〜（Ｅ）に示す様に、前側突出部６３ｂの前側切断刃挟持部６４ｂは、切断刃５０の鋼板５１の正面に当接する平坦部６４ｂ１と、切断刃５０の貫通孔５６，５６に嵌り込むボス６４ｂ２，６４ｂ２とを備えると共に、先端部分には、下側傾斜刃先５３を収納可能な凹所６４ｂ３を備えたものとなっている。
【００４３】
同じく、図３，図４，図５（Ｂ）〜（Ｅ）に示す様に、奥側突出部６３ａの奥側切断刃挟持部６４ａは、切断刃５０の鋼板５１の正面に当接する平坦部６４ａ１と、前側突出部６３ｂの前側切断刃挟持部６４ｂに形成されたボス６４ｂ２，６４ｂ２が嵌り込む嵌合孔６４ａ２，６４ａ２と、引っ掛け部５５が引っ掛かる引っ掛け面６４ａ３とによって構成されている。
【００４４】
図５（Ａ）に示す様に、突出部６３は、出口６２を垂直上方からは見えなくする様に大きく左方向へと突出している。また、図５（Ｂ）〜（Ｅ）に示す様に、突出部側面側の内壁面（流下通路の側面）６３ａ２，６３ｂ２は、凹所６４ｂ３を谷溝６５とする様に、左右から角度θ１で傾斜されている。なお、突出部上面側の内壁面（流下通路の底面）６３ａ１，６３ｂ１も、図６（Ｄ）に示す様に、谷溝６５に向かって角度θ２の下り傾斜とされている。
【００４５】
この結果、図８に示す様に、糸付きゴトの糸９０は、突出部６３に当接し、突出部上面側の内壁面６３ａ１，６３ｂ１及び突出部側面側の内壁面６３ａ２，６３ｂ２の傾斜により、図８（Ａ），（Ｂ）に点線で示した状態であったものも実線で示した状態へと誘導され、谷溝６５へと誘導され、谷溝６５内に収まっている切断刃５０の上側フラット刃先５２と下側傾斜刃先５３との間にＶ字状の挟み込み部５４に嵌り込む。
【００４６】
糸付きゴトの不正をしようとする者は、この状態で糸９０を引っ張ったり緩めたり操作する。この操作により、糸９０はＶ字状の挟み込み部５４で擦られ、やがて切断される。糸９０は前後から挟まれた状態であり、切断刃５０が鋼製であることから、不正行為を実行しようとしたときに、迅速かつ的確に糸９０を切断をすることができる。
【００４７】
一方、不正行為に無関係な遊技球は、流下通路６０に沿って流下するだけであり、谷溝６５は遊技球の直径に比べて十分に小さく、切断刃５０の刃先が飛び出さない様に収納されているから、この様な正常な遊技球の動きに制約や乱れを生じさせることがない。
【００４８】
また、流下通路６０を、後側と前側に分け、特に、突出部６３は半割の構成としたから、突出部６３に対して切断刃５０を挟み込む様にして容易に組み立てることができ、糸ゴト不正を防止するための機構が、流下通路の組立と同時に完成するから、組立工数を増加させることもない。
【００４９】
この様に、本実施例によれば、不正行為と関係のない遊技球の動きに制約や乱れを加えることなく、動力源を必要とせずに糸付きゴトによる不正行為を防止することができる。
【００５０】
以上、発明を実施するための最良の形態としての一実施例を説明したが、本発明は、これに限定されるものではなく、その要旨を逸脱しない範囲内における種々の変更が可能である。
【００５１】
例えば、センター役物１３の右側ではなく、左側のワープ通路３６内の突出部に切断刃を忍ばせた溝部を形成して、ワープ通路を経由して糸ゴトを行う不正への対応に適用しても構わない。また、突出部６３を出口６２を垂直上方から隠すほど飛び出せていなくてもよく、少なくとも出口の中心の垂線を越える様な突出状態としておけば足りる。切断刃５０は鋼板を折り曲げた構造のものに限らず、鋳造品としたり、素材もアルミ合金等に変えて構わない。実施例では、突出部６３を、流下通路右壁３７と外側壁３８ａの半割の内壁面を利用して形成していることにより、谷溝６５へと糸９０を誘導するための内壁面の傾斜角度を種々に形成することが容易であるから、谷溝６５を突出部上面側の内壁面６３ａ１，６３ｂ１にも形成し、切断刃５０を、その刃先を横向きではなく、斜め上方に向けたり、あるいは上向きにした状態に設置しても構わない。また、切断刃５０の刃先は、二分割に限らず、三分割以上にして一つおきに折曲したもので構成するなどとしても構わない。
【産業上の利用可能性】
【００５２】
本発明はパチンコ機に利用することができる。
【符号の説明】
【００５３】
Ｐ・・・パチンコ機、Ａ・・・外枠、Ｂ・・・中枠、Ｂ１・・・上枠部材、Ｂ２・・・下枠部材、Ｂ３・・・左枠部材、Ｂ４・・・右枠部材、Ｂ５・・・遊技盤保持部、Ｄ・・・前枠、Ｅ・・・上の球受け皿、Ｆ・・・下の球受け皿、Ｇ・・・打球発射装置、ＬＣＤ・・・液晶表示装置。
１・・・遊技盤、１ａ・・・板部材、３・・・裏ユニット、
１１・・・障害釘、１２・・・風車、１３・・・センター役物、１４・・・始動入賞口、１５・・・特別入賞口、１６・・・右打ち通路、１７・・・誘導レール、１８・・・普通入賞口、１９・・・アウト口、３０・・・枠状装飾体、３１・・・ベース部、３２・・・周壁部、３３・・・ダボ、３４・・・区画壁、３５・・・ステージ、３６・・・ワープ通路、３７・・・流下通路右壁、３８・・・流下通路前側部材、３８ａ・・・外側壁、３８ｂ・・・孔明き支柱、３８ｃ・・・減速用突条、３８ｄ・・・飾り壁、４０・・・演出用装飾体、４１・・・ゲート、４２・・・球検知センサ、４３・・・第２始動入賞口、５０・・・切断刃、５１・・・鋼板、５２・・・上側フラット刃先、５３・・・下側傾斜刃先、５４・・・挟み込み部、５５・・・引っ掛け部、５６・・・貫通孔、６０・・・右側流下通路、６１・・・入口、６２・・・出口、６３・・・突出部、６３ａ・・・奥側突出部、６３ａ１・・・突出部上面側の内壁面、６３ａ２・・・突出部側面側の内壁面、６３ｂ・・・前側突出部、６３ｂ１・・・突出部上面側の内壁面、６３ｂ２・・・突出部側面側の内壁面、６４ａ・・・奥側切断刃挟持部、６４ａ１・・・平坦部、６４ａ２・・・嵌合孔、６４ａ３・・・引っ掛け面、６４ｂ・・・前切断刃挟持部、６４ｂ１・・・平坦部、６４ｂ２・・・ボス、６４ｂ３・・・凹所、６５・・・谷溝、９０・・・糸。
【図１】
2015097649.tif 000003
【図２】
2015097649.tif 000004
【図３】
2015097649.tif 000005
【図４】
2015097649.tif 000006
【図５】
2015097649.tif 000007
【図６】
2015097649.tif 000008
【図７】
2015097649.tif 000009
【図８】
2015097649.tif 000010